(57)【要約】【課題】  簡易構造ながら地下水の排出を適切に行うことができる不等沈下防止構造の提供。【解決手段】  本発明に係る不等沈下防止構造は、地盤に複数の基礎杭を埋設する不等沈下防止構造であって、該各基礎杭は、周面部と底面部に多数の通水口を備えると共に上端部に開口を備えた有底のチューブと、該チューブ内に詰め込まれる多数の透水材とから成り、該チューブの上記各通水口及び上記開口と同チューブ内の上記透水材間の間隙を連通して垂直方向に沿った通水路を形成した構造を有し、上記チューブの上記通水口により同チューブ内への土砂の流入を防ぎつつ地下水のみを通過させ、適切に地下水を吸い上げることができる。【選択図】  図１
2018003567.tif 000002
【特許請求の範囲】
【請求項１】
地盤に複数の基礎杭を埋設する不等沈下防止構造であって、該各基礎杭は、周面部と底面部に多数の通水口を備えると共に上端部に開口を備えた有底のチューブと、該チューブ内に詰め込まれる多数の透水材とから成り、該チューブの上記各通水口及び上記開口と同チューブ内の上記透水材間の間隙を連通して垂直方向に沿った通水路を形成したことを特徴とする不等沈下防止構造。
【請求項２】
上記透水材として、砕石又はコンクリート殻又はアスファルト殻を単独で又は混合して用いることを特徴とする請求項１記載の不等沈下防止構造。
【請求項３】
全ての上記基礎杭の下端部を液状化地盤層に埋設したことを特徴とする請求項１又は請求項２に記載の不等沈下防止構造。
【請求項４】
全ての上記基礎杭又は一部の上記基礎杭の下端部を杭支持地盤層に埋設したことを特徴とする請求項１又は請求項２に記載の不等沈下防止構造。
【請求項５】
複数の上記基礎杭を等間隔を置いて並列して埋設した基礎杭群を平行に複数有することを特徴とする請求項１乃至請求項４の何れかに記載の不等沈下防止構造。
【請求項６】
複数の上記基礎杭を隙間なく並列して埋設した基礎杭群を平行に複数有することを特徴とする請求項１乃至請求項４の何れかに記載の不等沈下防止構造。
【請求項７】
複数の上記基礎杭を隙間なく並列して埋設した基礎杭群を格子状に配したことを特徴とする請求項１乃至請求項４の何れかに記載の不等沈下防止構造。
【請求項８】
上記基礎杭の上端部上に横設され埋設される横設部材を設け、該横設部材は、上記基礎杭を構成するチューブと同構成のチューブに上記基礎杭と同様に上記透水材を詰め込んで成り、該横設部材により水平方向に沿った通水路を形成したことを特徴とする請求項１乃至請求項７の何れかに記載の不等沈下防止構造。
【請求項９】
上記横設部材の両端部をそれぞれ構造物の外縁より外方に配することを特徴とする請求項８記載の不等沈下防止構造。
【発明の詳細な説明】
【技術分野】
【０００１】
本発明は、戸建住宅等の構造物が地震等の繰り返し振動に起因して不等沈下することを防ぐ不等沈下防止構造に関する。
【背景技術】
【０００２】
従来の不等沈下防止構造として、下記特許文献１に示すように、地下水の排出を促して構造物の不等沈下を防止する構造が既知である。
【０００３】
該特許文献１の不等沈下防止構造は、木杭、鋼管杭、コンクリート杭等から成る基礎杭を構造物直下の地盤に複数打ち込むと共に、該各基礎杭の外周面と地盤間に砕石又は砂を締め固めて成る筒状のドレーン部を形成する構造であり、このように基礎杭の外周囲にドレーン部を形成し、該ドレーン部を通じて地下水を揚水し、地盤を等沈下させて構造物の不等沈下を防止せんとするものである。
【先行技術文献】
【特許文献】
【０００４】
【特許文献１】特開２０１２−１８８８３０号公報
【発明の概要】
【発明が解決しようとする課題】
【０００５】
しかしながら、上記特許文献１の不等沈下防止構造にあっては、ドレーン部を構成する砕石や砂が直接地盤に接するものであり、当該砕石や砂の間の空隙が地盤を構成する土砂により目詰まりし、該ドレーン部が機能不全に陥ってしまう問題点を有している。
【０００６】
また、地下水の水圧や水勢によっては、土砂が地下水と共に排出されてしまうおそれがある。そのため、排出された土砂分だけ地盤が不等沈下したり、地盤内に空洞ができたりする問題点をも有している。
【課題を解決するための手段】
【０００７】
本発明は、既述した従来の不等沈下防止構造が抱える問題点を有効に解決し、簡易構造ながら地下水の排出を適切に行うことができる不等沈下防止構造を提供する。
【０００８】
要述すると、本発明に係る不等沈下防止構造は、地盤に複数の基礎杭を埋設する不等沈下防止構造であって、該各基礎杭は、周面部と底面部に多数の通水口を備えると共に上端部に開口を備えた有底のチューブと、該チューブ内に詰め込まれる多数の透水材とから成り、該チューブの上記各通水口及び上記開口と同チューブ内の上記透水材間の間隙を連通して垂直方向に沿った通水路を形成した構造を有し、上記チューブの上記通水口により同チューブ内への土砂の流入を防ぎつつ地下水のみを通過させ、適切に地下水を吸い上げることができる。
【０００９】
好ましくは、上記透水材として、砕石又はコンクリート殻又はアスファルト殻を単独で又は混合して用いることにより、上記基礎杭の剛性と透水性の両立を図る。
【００１０】
また、全ての上記基礎杭の下端部を液状化地盤層に埋設することにより、上記各基礎杭を構成するチューブの周面部及び底面部の双方から地下水を素早く排出し、例え液状化地盤層が液状化したとしても地盤の等沈下を促すことができ、これにより構造物の不等沈下を防止する。
【００１１】
又は全ての上記基礎杭又は一部の上記基礎杭の下端部を杭支持地盤層に埋設することにより、確実に構造物を支持しつつ地下水を吸い上げて排出することができる。
【００１２】
好ましくは、複数の上記基礎杭を等間隔を置いて並列して埋設した基礎杭群を平行に複数有する構造とし、均等に地下水を吸い上げて排出する。
【００１３】
又は複数の上記基礎杭を隙間なく並列して埋設した基礎杭群を平行に複数有する構造、若しくは、複数の上記基礎杭を隙間なく並列して埋設した基礎杭群を格子状に配した構造とすることにより、基礎杭群を地盤と面接触させて、漏れなく地下水を吸い上げて排出することができる。
【００１４】
また、上記基礎杭の上端部上に横設され埋設される横設部材を設け、該横設部材は、上記基礎杭を構成するチューブと同構成のチューブに上記基礎杭と同様に上記透水材を詰め込んで成り、該横設部材により水平方向に沿った通水路を形成した構造とし、好ましくは上記横設部材の両端部をそれぞれ構造物の外縁より外方に配することにより、上記各基礎杭で吸い上げた地下水を構造物の外方に排出することができる。
【発明の効果】
【００１５】
本発明の不等沈下防止構造においては、本来構造物を支持する役割のみの基礎杭が地下水を吸い上げて排出するための通水路ともなることにより、簡易構造でありながらも有効に不等沈下を防止することができる。
【００１６】
また、基礎杭を構成するチューブの周面部及び底面部がフィルターの役割をするため、地盤の土砂が地下水と共にチューブ内に入り込むことを適切に抑止する。そのため、土砂により透水材間の空隙が目詰まりを起こすこともない。
【００１７】
また、基礎杭同士を隙間なく並列することができ、該並列した基礎杭群を地盤と面接触させて漏れなく地下水を排出することもできる。
【図面の簡単な説明】
【００１８】
【図１】本発明に係る不等沈下防止構造を概示する断面図。
【図２】基礎杭を構成するチューブの斜視図。
【図３】（Ａ）は基礎杭の斜視図、（Ｂ）は基礎杭の拡大断面図。
【図４】横設部材の斜視図。
【図５】基礎杭の下端部を杭支持地盤層に埋設した例を示す断面図。
【図６】図１・図４における基礎杭の配置を示す底面図。
【図７】本発明に係る不等沈下防止構造の他例を概示する断面図。
【図８】図７における基礎杭の配置を示す底面図。
【図９】基礎杭の配置の他例を示す図であり、（Ａ）は隙間なく複数の基礎杭を並列した基礎杭群を格子状に配設した例、（Ｂ）は隙間なく複数の基礎杭を並列した基礎杭群と等間隔をおいて複数の基礎杭を配設した基礎杭群とを交互に配設した例をそれぞれ示す。
【図１０】基礎杭形成工程におけるチューブの吊り下げ状態を示す説明図。
【図１１】基礎杭形成工程におけるチューブの吊り下げ状態の他例を示す説明図。
【発明を実施するための形態】
【００１９】
以下、本発明に係る不等沈下防止構造の最適な実施例を、図１乃至図１１に基づき説明する。
【００２０】
＜基本構成＞
本発明に係る不等沈下防止構造は、図１，図５，図７等に示す如く、戸建住宅等の建築構造物Ｈ直下の地盤Ｇに複数の基礎杭１を埋設することを前提とし、該各基礎杭１内に垂直方向に沿った通水路を形成し、地震発生時等には該各基礎杭１内の通水路により地下水を吸い上げ排出して地盤Ｇの等沈下を促し、もって構造物Ｈの不等沈下を防止する。
【００２１】
好ましくは、上記各基礎杭１の上端部１ｂ上に横設される横設部材７を設け、該横設部材７により水平方向に沿った通水路を形成し、上記基礎杭１により吸い上げられた地下水を構造物Ｈの外方に適切に排出する。
【００２２】
図１，図５，図７等に示すように、横設部材７の両端部７ａ・７ｂを構造物Ｈの外方に位置するように配する。また、横設部材７と構造物Ｈの基礎Ｂ間にはゴムシート等の既知の成形止水材や主剤と硬化剤とから成る止水材等の既知の固化止水材により止水層８を形成し、該止水層８により基礎Ｂに対して止水を図ると共に地下水を横設部材７の両端部７ａ・７ｂへと導く構成とする。
【００２３】
＜基礎杭の構成＞
基礎杭１は、図２，図３に示すように、周面部２ａと底面部２ｂに多数の通水口３を備えると共に上端部に開口４を備えた有底のチューブ２と、該チューブ２内に詰め込まれる塊状の透水材５とから成り、該チューブ２の上記各通水口３及び上記開口４と同チューブ２内の上記透水材５間の間隙を連通して垂直方向に沿った通水路を形成する。
【００２４】
基礎杭１を構成するチューブ２は、図２中の拡大図に示すように、好ましくは繊維６ａを集束した集束繊維６を編成、すなわち平編みによりシート状に編み、或いは輪編み等により筒状に編んで形成し、編み目を通水口３として利用する。該通水口３の口径は、地盤Ｇの土砂の流入を防ぎつつ地下水が通過できるように調整する。更に後記する透水材５の粒径によっても適宜調整する。
【００２５】
チューブ２を構成する繊維６ａとしては、例えば合成樹脂繊維、炭素繊維、アラミド繊維、金属繊維等の剛性と耐久性を兼ね備えた繊維を使用する。なお、繊維６ａを単繊維として編成してチューブ２を形成することも実施に応じ任意である。
【００２６】
また、シート状に編んでチューブ２を形成する場合には、該シート状に編んだ繊維編成体を筒状にして周面部２ａを形成すると共に、底面部２ｂを接着し又は縫い合わせる。また、筒状に編んでチューブ２を形成する場合には、既に周面部２ａは形成されており、あとは底面部２ｂを接着し又は縫い合わせる。
【００２７】
なお、チューブ２は、既述のように、繊維編成体で構成する他、合成樹脂シートや合成ゴムシート等で形成することができる。このように合成樹脂シートや合成ゴムシート等で形成する場合は、適度な大きさの通水口３を周面部２ａ及び底面部２ｂに穿設する。また、チューブ２の長さや横断面形状、横断面径は現場に応じて適宜調整することができる。さらに、チューブ２の周面部２ａと底面部２ｂとを異なる構成の部材（素材や構造が異なる部材等）とすることを排除しない。
【００２８】
チューブ２内に多数詰め込む（中詰めする）透水材５としては、砕石又はコンクリート殻又はアスファルト殻等の塊状の透水材を単独で又は複数種類を混合して用い、基礎杭１の剛性と透水性の両立を図る。特にコンクリート殻やアスファルト殻を用いれば、コストを抑えられると共に建設廃棄物のリサイクルに貢献することができる。
【００２９】
また、透水材５の粒径は、既述した通水口３の口径よりも大径に設定する。同程度の粒径の透水材５のみをチューブ２内に詰め込んで隣接する透水材５間に生ずる間隙の大きさをある程度揃えつつ該間隙の総体積を確保するか、又は粒径の異なる透水材５を混合してチューブ２内に詰め込んで、密に透水材５を詰め込んで基礎杭１の強度を確保することができる。何れにしても形成する基礎杭１の配置位置等により適宜調整することができる。
【００３０】
チューブ２内に透水材５を詰め込んで基礎杭１を形成する工程においては、図１０，図１１に示すように、チューブ２を吊下手段９により吊り下げ状態にし、該吊り下げ状態のチューブ２内に既述した透水材５を投入し詰め込んで基礎杭１を形成する。必要に応じて、詰め込んだ透水材５を締め固めることは当然である。吊下手段９としては、チューブ２を吊り下げ状態にすることができ、且つ該吊り下げ状態のチューブ２内に開口４から透水材５を詰め込むことができれば特に限定はなく、例えば既知の櫓やクレーン等を用いることができる。
【００３１】
図１０は、チューブ２の底面部２ｂを地盤Ｇの表面に荷受けして支持し該チューブ２を吊り下げ状態にした例を示している。また、図１１は、チューブ２の底面部２ｂを地盤Ｇに形成した掘削孔１０又は掘削溝１０′の底面に荷受けして支持し該チューブ２を吊り下げ状態にした例を示している。これらのチューブ吊り下げ例の場合には、透水材５を詰め込んだ後にはチューブ２及び透水材５の重量を荷受け面たる地盤Ｇの表面や掘削孔１０・掘削溝１０′の底面により一部荷受けし、吊下手段９にかかる重量を軽減することができる。
【００３２】
また、上記図１０，図１１に基づき説明したチューブ吊り下げ例、すなわち地上又は掘削孔１０・掘削溝１０′内でチューブ２の底面部２ｂを支持して吊り下げ状態にする他、地上又は掘削孔１０・掘削溝１０′内でチューブ２の底面部２ｂをフリーにして、つまり宙吊りして吊り下げ状態にしてもよい。
【００３３】
上記説明したように、本発明における基礎杭１は、容易に現場で成形することができ、工期短縮及びコスト削減を図ることができる。また、掘削孔１０内や掘削溝１０′内で形成することができ、基礎杭１の形成と埋設とをシームレスに行うことができる。特に掘削溝１０′内で基礎杭１を形成する場合には後記する配置例のように、基礎杭１同士を隙間なく並列して埋設することができる。
【００３４】
そして、本発明における基礎杭１は、当該基礎杭１を構成するチューブ２の各通水口３及び開口４と同チューブ２内の透水材５間の間隙を連通して垂直方向に沿った通水路を形成した構造を有し、チューブ２の周面部２ａ及び底面部２ｂにより同チューブ２内への土砂の流入を防ぎつつ通水口３で地下水のみを通過させ、適切に地下水を吸い上げることができる。
【００３５】
なお、基礎杭１の長手方向に直交する方向の断面形状は、円形状に限らず、例えば楕円形状や多角形状等にしてもよい。
【００３６】
＜横設部材の構成＞
横設部材７は、好ましくは既述の基礎杭１を構成するチューブと同構成のチューブ２に既述の基礎杭１と同様に透水材５を多数詰め込んで成り、水平方向に沿った通水路を形成する。よって、チューブ２及び透水材５、形成工程については、既述した「基礎杭の構成」での説明内容を援用する。
【００３７】
横設部材７にあっては、チューブ２を吊り下げ状態にして透水材５を投入して詰め込んだ後、開ロ４を上面部２ｃにて塞いでも良い。すなわち、チューブ２内に多数の透水材５が詰め込まれた後の開ロ４を塞ぐように上面部２ｃを接着し又は縫い合わせて形成することができる。なお、上面部２ｃにも通水口３が多数設けられている。
【００３８】
本発明にあっては、並列して埋設された複数の基礎杭１の上端部１ｂ上、つまり複数の基礎杭１におけるチューブ２の開ロ４上に上記構成の横設部材７を横たわらせて埋設し、上記各基礎杭１の垂直方向に沿った通水路に連通する水平方向に沿った通水路を形成する。これにより、上記各基礎杭１で吸い上げた地下水を構造物Ｈの外方に排出することができる。すなわち、各基礎杭１が吸い上げた地下水を該各基礎杭１の開口４から横設部材７を構成するチューブ２の周面部２ａに形成された通水口３を通じて水平方向に沿って導き、当該横設部材７の一端部７ａ又は／及び他端部７ｂから排出する。
【００３９】
また、好ましくは横設部材７の両端部７ａ・７ｂをそれぞれ構造物Ｈの外縁より外方に配することにより、確実に地下水を構造物Ｈの外方に排出することができる。なお、横設部材７の両端部７ａ・７ｂには、それぞれ、該横設部材７を構成するチューブ２の底面部２ｂ或いは開口４又は上面部２ｃが配されることは言うまでもない。
【００４０】
なお、横設部材７の長手方向に直交する方向の断面形状は、円形状に限らず、例えば楕円形状や多角形状等にしてもよい。
【００４１】
＜基礎杭の埋設例＞
次に、上記した構成の基礎杭１の埋設例について説明する。
【００４２】
図１は、全ての基礎杭１の下端部１ａを液状化地盤層ｇ１に埋設した例を示している。すなわち、全本数の基礎杭１を液状化地盤層ｇ１にて支持した例を示している。本例の場合には、各基礎杭１を構成するチューブ２の周面部２ａの通水口３のみならず底面部２ｂの通水口３をも通じて素早く地下水を吸い上げることができる。したがって、液状化地盤層ｇ１が液状化することを抑止できると共に、例え液状化したとしても地下水を素早く吸い上げて地盤Ｇの等沈下を促し、構造物Ｈが不等沈下することを適切に防止することができる。
【００４３】
図２は、全ての基礎杭１の下端部１ａを杭支持地盤層ｇ２に埋設した例を示している。すなわち、全本数の基礎杭１を支持地盤層ｇ２にて支持した例を示している。本例の場合には、各基礎杭１にて構造物Ｈを確実に支持しつつ地下水を吸い上げることができる。
【００４４】
なお、上記した基礎杭１の埋設例では全て（全本数）の基礎杭１の下端部１ａを液状化地盤層ｇ１又は杭支持地盤層ｇ２に埋設する例を示したが、本発明にあっては、これに限らず、一部（一部本数）の基礎杭１の下端部１ａを液状化地盤層ｇ１に、その余の基礎杭１の下端部１ａを杭支持地盤層ｇ２に埋設することも実施に応じ任意である。
【００４５】
また、基礎杭１の埋設においては、図示の如く、掘削孔１０又は掘削溝１０′内に立て込んで埋設する他、ウォータージェットにより地盤Ｇをハツリながら基礎杭１を打ち込んで埋設することや基礎杭１を押圧して地盤Ｇに打ち込んで埋設することもできる。
【００４６】
＜基礎杭の配設例＞
最後に上記した構成の基礎杭１の配設例について説明する。
【００４７】
図１，図５，図６は、複数の基礎杭１を等間隔を置いて並列して埋設した配設例を示している。このように、等間隔を置いて並列して埋設した複数の基礎杭１から成る基礎杭群を平行に複数有する構造とすることにより、均等に地下水を吸い上げて排出することができる。
【００４８】
また、図７，図８は複数の基礎杭１を隙間なく並列して埋設した配設例を示している。このように、隙間なく並列して埋設した複数の基礎杭１から成る基礎杭群を平行に複数有する構造とすることにより、基礎杭群を地盤Ｇと面接触させて、漏れなく地下水を吸い上げて排出することができる。
【００４９】
本発明にあっては、さらに、図９（Ａ）に示すように、隙間なく並列して埋設した複数の基礎杭１から成る基礎杭群を格子状に配した構造とすることや、図９（Ｂ）に示すように、等間隔を置いて並列して埋設した複数の基礎杭１から成る基礎杭群を平行に複数有すると共に、隙間なく並列して埋設した複数の基礎杭１から成る基礎杭群を平行に複数有する構造とすることもでき、所期の地下水排出に応じて、複数の基礎杭１を自由に配設することができる。
【００５０】
特に本発明における基礎杭１は、地盤Ｇに形成した掘削溝１０′内で形成できるため、複数の基礎杭１を隙間なく併設し埋設することも容易となる。
【符号の説明】
【００５１】
１…基礎杭、１ａ…下端部、１ｂ…上端部、２…チューブ、２ａ…周面部、２ｂ…底面部、２ｃ…上面部、３…通水口、４…開口、５…透水材、６…集束繊維、６ａ…繊維、７…横設部材、７ａ…一端部、７ｂ…他端部、８…止水層、９…吊下手段、１０…掘削孔、１０′…掘削溝、Ｈ…構造物、Ｂ…構造物基礎、Ｇ…地盤、ｇ１…液状化地盤層、ｇ２…杭支持地盤層。
【図１】
2018003567.tif 000003
【図２】
2018003567.tif 000004
【図３】
2018003567.tif 000005
【図４】
2018003567.tif 000006
【図５】
2018003567.tif 000007
【図６】
2018003567.tif 000008
【図７】
2018003567.tif 000009
【図８】
2018003567.tif 000010
【図９】
2018003567.tif 000011
【図１０】
2018003567.tif 000012
【図１１】
2018003567.tif 000013
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
構造物直下の地盤に該構造物を支持する複数の基礎杭を埋設する不等沈下防止構造であって、該各基礎杭は、周面部と底面部に多数の通水口を備えると共に上端部に開口を備えた有底のチューブと、該チューブ内に詰め込まれる多数の透水材とから成り、該チューブとして、合成樹脂繊維、炭素繊維、アラミド繊維、金属繊維等の剛性と耐久性を兼ね備えた繊維の編成体を用いると共に、上記透水材として、砕石又はコンクリート殻又はアスファルト殻を単独で又は混合して用い、上記各基礎杭は構造物を支持しつつ上記チューブの上記各通水口及び上記開口と同チューブ内の上記透水材間の間隙を連通して垂直方向に沿った通水路を形成したことを特徴とする不等沈下防止構造。
【請求項２】
全ての上記基礎杭の下端部を液状化地盤層に埋設したことを特徴とする請求項１記載の不等沈下防止構造。
【請求項３】
全ての上記基礎杭又は一部の上記基礎杭の下端部を杭支持地盤層に埋設したことを特徴とする請求項１記載の不等沈下防止構造。
【請求項４】
複数の上記基礎杭を等間隔を置いて並列して埋設した基礎杭群を平行に複数有することを特徴とする請求項１乃至請求項３の何れかに記載の不等沈下防止構造。
【請求項５】
複数の上記基礎杭を隙間なく並列して埋設した基礎杭群を平行に複数有することを特徴とする請求項１乃至請求項３の何れかに記載の不等沈下防止構造。
【請求項６】
複数の上記基礎杭を隙間なく並列して埋設した基礎杭群を格子状に配したことを特徴とする請求項１乃至請求項３の何れかに記載の不等沈下防止構造。
【請求項７】
上記基礎杭の上端部上に横設され埋設される横設部材を設け、該横設部材は、上記基礎杭を構成するチューブと同構成のチューブに上記基礎杭と同様に上記透水材を詰め込んで成り、該横設部材により水平方向に沿った通水路を形成したことを特徴とする請求項１乃至請求項６の何れかに記載の不等沈下防止構造。
【請求項８】
上記横設部材の両端部をそれぞれ構造物の外縁より外方に配することを特徴とする請求項７記載の不等沈下防止構造。
【手続補正２】
【補正対象書類名】明細書
【補正対象項目名】０００８
【補正方法】変更
【補正の内容】
【０００８】
要述すると、本発明に係る不等沈下防止構造は、構造物直下の地盤に該構造物を支持する複数の基礎杭を埋設する不等沈下防止構造であって、該各基礎杭は、周面部と底面部に多数の通水口を備えると共に上端部に開口を備えた有底のチューブと、該チューブ内に詰め込まれる多数の透水材とから成り、該チューブとして、合成樹脂繊維、炭素繊維、アラミド繊維、金属繊維等の剛性と耐久性を兼ね備えた繊維の編成体を用いると共に、上記透水材として、砕石又はコンクリート殻又はアスファルト殻を単独で又は混合して用い、上記各基礎杭は構造物を支持しつつ上記チューブの上記各通水口及び上記開口と同チューブ内の上記透水材間の間隙を連通して垂直方向に沿った通水路を形成した構造を有し、上記チューブの上記通水口により同チューブ内への土砂の流入を防ぎつつ地下水のみを通過させ、適切に地下水を吸い上げることができる。
【手続補正３】
【補正対象書類名】明細書
【補正対象項目名】０００９
【補正方法】削除
【補正の内容】